(57)【要約】【課題】  自転車に装着可能であってコンパクトな雨具及び雨具収納具の提供。【解決手段】  雨具１は、自転車２のサドル３に着脱可能に設けられている。雨具１は、サドル３への装着時にサドル３に固定するための固定部材５２を備え、開口部が形成されている。雨具１は、収納部５と、開口部を開閉可能な開閉部と、収納部５に接続される接続部を有し、開口部を介して収納部に収納可能であって、使用者が着衣する本体部と、を有している。収納部５は、使用者が本体部を着衣したときはフードとして機能し、雨具１をサドル３に装着した時は本体部を収納するとともにサドルを覆うサドルカバーとして機能する。【選択図】図２
2019167022.tif 000002
【特許請求の範囲】
【請求項１】
自転車のサドルに着脱可能に設けられた雨具であって、
前記サドル装着時にサドルに固定するための固定部材を備え、開口部が形成された収納部と、
前記開口部を開閉可能な開閉部と、
前記収納部に接続される接続部を有し、前記開口部を介して前記収納部に収納可能であって、使用者が着衣する本体部と、を有し、
前記収納部は、前記使用者が前記本体部を着衣したときはフードとして機能し、前記サドルに装着した時は前記本体部を収納するとともに前記サドルを覆うサドルカバーとして機能することを特徴とする雨具。
【請求項２】
前記収納部が前記固定部材によって前記サドルに装着されたとき、前記本体部は前記収納部に収納された状態で前記サドルの座面に配置されていることを特徴とする請求項１に記載の雨具。
【請求項３】
前記固定部材は、前記使用者が前記本体部を着衣したとき、前記使用者の頭にフードを保持することを特徴とする請求項１または２に記載の雨具。
【請求項４】
自転車のサドルに着脱可能に設けられた雨具であって、
レインコートと、
前記サドルを覆うサドルカバーと、
前記サドルカバーと前記サドルとの間に配置され、レインコートを保持する保持部と、吸水性を有する拭取部と、を備える収納部と、を有していることを特徴とする雨具。
【請求項５】
前記サドルカバーは、防水性を有し、
前記保持部は、前記レインコートを挟持するバンドと、前記レインコートの一部を収容するポケットと、から構成され、
前記拭取部は、前記保持部が設けられている面とは反対側の面に設けられていることを特徴とする請求項４に記載の雨具。
【請求項６】
自転車のサドルに着脱可能に設けられた雨具収納具であって、
前記サドルを覆うサドルカバーと、
前記サドルカバーと前記サドルとの間に配置され、レインコートを保持する保持部と、吸水性を有する拭取部と、を備える収納部と、を有していることを特徴とする雨具収納具。
【発明の詳細な説明】
【技術分野】
【０００１】
本発明は雨具及び雨具収納具に関し、特に自転車に着脱可能な雨具及び雨具収納具に関する。
【背景技術】
【０００２】
従来より、据え付け型自転車用レインコートが知られている（例えば、特許文献１）。据え付け型自転車用レインコートは、自転車乗車時にサドル又はサドルフレーム支柱の周辺箇所にレインコートを固定する。当該レインコートは自立した立体形状であるため、乗車と同時に入り込むようにレインコートを身に着けることができる。
【０００３】
他の自転車搭乗者用レインコートでは、雨や雪の侵入を防止するためにフードに着脱可能なフェースフードが設けられている（例えば、特許文献２）。フードの左右には、複数の孔が形成されたイヤーパッド及び携帯電話用開口部が設けられている。これにより、フェースフードで雨及び風を防ぐとともに、イヤーパッドで周囲の音を聞きつつ携帯電話で通話を行うことができる。
【先行技術文献】
【特許文献】
【０００４】
【特許文献１】特開２０１８−３２１２公報
【特許文献２】登録実用新案第３１６１９３１号公報
【発明の概要】
【発明が解決しようとする課題】
【０００５】
しかしながら、従来の据え付け型自転車用レインコートでは、自立型であるため非常に嵩張り自転車に備え付けて持ち運ぶことは困難だった。また、座面にレインコートの一部がサドルに固定されているため、自転車運転時に障害となる可能性があった。
【０００６】
自転車搭乗者用レインコートにおいても同様に、フードにフェースフードが設けられているためレインコート自体が嵩張り、自転車に備え付けて運ぶことは難しかった。天候の急変などで自転車運転中に降雨に遭うことがあった場合に備え、自転車で持ち運び可能な雨具が望まれていたが、自転車走行時の障害とならない位置に据え付けてコンパクトに持ち運ぶことができる雨具は存在していなかった。
【０００７】
そこで、本発明は、自転車に装着可能であってコンパクトな雨具を提供することを目的とする。
【課題を解決するための手段】
【０００８】
上記課題を解決するために第１の発明は、自転車のサドルに着脱可能に設けられた雨具であって、前記サドル装着時にサドルに固定するための固定部材を備え、開口部が形成された収納部と、前記開口部を開閉可能な開閉部と、前記収納部に接続される接続部を有し、前記開口部を介して前記収納部に収納可能であって、使用者が着衣する本体部と、を有し、前記収納部は、前記使用者が前記本体部を着衣したときはフードとして機能し、前記サドルに装着した時は前記本体部を収納するとともに前記サドルを覆うサドルカバーとして機能することを特徴とする雨具を提供している。
【０００９】
第２の発明では、第１の発明に記載された雨具であって、前記収納部が前記固定部材によって前記サドルに装着されたとき、前記本体部は前記収納部に収納された状態で前記サドルの座面に配置されていることを特徴としている。
【００１０】
第３の発明では、第２の発明に記載された雨具であって、前記固定部材は、前記使用者が前記本体部を着衣したとき、前記使用者の頭にフードを保持することを特徴としている。
【００１１】
第４の発明では、自転車のサドルに着脱可能に設けられた雨具であって、レインコートと、前記サドルを覆うサドルカバーと、前記サドルカバーと前記サドルとの間に配置され、レインコートを保持する保持部と、吸水性を有する拭取部と、を備える収納部と、を有していることを特徴とする雨具を提供している。
【００１２】
第５の発明では、第４の発明に記載された雨具であって、前記サドルカバーは、防水性を有し、前記保持部は、前記レインコートを挟持するバンドと、前記レインコートの一部を収容するポケットと、から構成され、前記拭取部は、前記保持部が設けられている面とは反対側の面に設けられていることを特徴としている。
【００１３】
第６の発明では、自転車のサドルに着脱可能に設けられた雨具収納具であって、前記サドルを覆うサドルカバーと、前記サドルカバーと前記サドルとの間に配置され、レインコートを保持する保持部と、吸水性を有する拭取部と、を備える収納部と、を有していることを特徴としている。
【発明の効果】
【００１４】
第１の発明によると、自転車のサドルに雨具が着脱可能に設けられているため、急な降雨や災害などの際にはサドルに装着された雨具を取り外し、収納部から本体部を取り出して本体部を着衣し収納部を頭に被ることで、雨を凌ぐとともに防寒具となり得る。また、雨具はサドルに装着されているため、雨具が自転車走行時に邪魔にならない位置で、常に雨具を持ち運ぶことができる。さらに、収納部は着衣時にはフードとして機能しサドル装着時にはサドルカバーとして機能するため、１つの収納部で２つの機能を果たしている。これにより、新たな部材を設けることなく雨具をサドルに装着することができるため、部品点数を削減するとともに製造コストを抑制することができる。また、本体部は開口部から収納部に収納可能であるため、雨具を嵩張らずにコンパクトにすることができる。さらに、収納部はサドルカバーとしての機能を有しているため、降雨時にサドルが濡れることを防止することができる。また、開口部を開閉可能な開閉部を備えているため、開閉部で開口部を閉じることで自転車走行時に誤って収納部から本体部が飛び出すことがない。さらに、雨具は収納部に設けられた固定部材によってサドルに固定されているため、自転車走行時に雨具が動くことが無く快適に自転車を運転することができる。
【００１５】
第２の発明によると、本体部はサドルの座面に配置されているため、使用者がサドルに着座した際に本体部がクッションとなりサドルの座り心地を向上させることができる。
【００１６】
第３の発明によると、固定部材が使用者の雨具着衣時にフードを頭に保持するため、１つの固定部材で２つの機能を果たしている。これにより、新たな部材を設けることなく雨具をサドルに固定することができるとともに収納部を頭に固定することができるため、部品点数を削減するとともに製造コストを抑制することができる。
【００１７】
第４の発明によると、自転車のサドルにレインコートが着脱可能に設けられているため、急な降雨や災害などの際にはサドルに装着されたサドルカバーを取り外し、収納部からレインコートを取り出して着衣することで、雨を凌ぐとともに防寒具となり得る。また、雨具はサドルに装着されているため、雨具が自転車走行時に邪魔にならない位置で、常に雨具を持ち運ぶことができる。さらに、雨具はサドルカバーを備えているため、降雨時にサドルが濡れることを防止することができる。また、収納部は吸水性を有する拭取部を備えているため、降雨時に自転車のハンドルやカゴ等の雨露を拭取ることができる。さらに、レインコート及び収納部はサドルカバーとサドルとの間に配置されているため、使用者がサドルに着座した際にレインコート及び収納部がクッションとなりサドルの座り心地を向上させることができる。
【００１８】
第５の発明によると、サドルカバーが防水性を備えているため、降雨時にサドルカバー内部に配置されている収納部及びレインコートが濡れることを防止できる。また、収納部がバンドとポケットとによってレインコートを保持しているため、収納部内でレインコートがずれることがない。これにより、サドルの座り心地を向上させることができる。また、拭取部が保持部の設けられている面とは反対側の面に設けられているため、ポケットに片手を入れた状態で拭取部によって周囲の雨露を拭取ることができる。
【００１９】
第６の発明によれば、自転車のサドルにレインコートを保持する雨具収納具が着脱可能に設けられているため、急な降雨や災害などの際には雨具収納具に保持されたレインコートを取り外し着衣することで、雨を凌ぐとともに防寒具となり得る。また、レインコートはサドルに装着された雨具収納具に収納されているため、雨具収納具及びレインコートが自転車走行時に邪魔にならない位置で、常にレインコートを持ち運ぶことができる。さらに、雨具収納具はサドルカバーを備えているため、降雨時にサドルが濡れることを防止することができる。また、レインコート及び収納部はサドルカバーとサドルとの間に配置されているため、使用者がサドルに着座した際にレインコート及び収納部がクッションとなりサドルの座り心地を向上させることができる。
【００２０】
これにより、自転車に装着可能であってコンパクトな雨具及び雨具収納具を提供することができる。
【図面の簡単な説明】
【００２１】
【図１】本発明の第１の実施の形態による雨具を自転車に装着したときの斜視図。
【図２】本発明の第１の実施の形態による雨具を自転車から外したときの分解斜視図。
【図３】本発明の第１の実施の形態による雨具の本体部を収納部に収納する収納方法を説明するための図。
【図４】本発明の第２の実施の形態による雨具を自転車から外したときの分解斜視図。
【図５】本発明の第２の実施の形態による雨具の収納部にレインコートを収納したときの斜視図。
【発明を実施するための形態】
【００２２】
本発明の第１の実施の形態による雨具について、図１乃至図３に基づいて説明する。図１及び図２に示すように、上下前後左右方向を定義する。以下の説明において、平行、直交、垂直は略平行、略直交、略垂直を含むものとする。
【００２３】
雨具１は、自転車２のサドル３に着脱可能に設けられていて、本体部４と、収納部５と、を備えている。本体部４は、防水性を有する素材であって、本実施の形態ではユニチカ株式会社のＴＵＦＬＥＸ（登録商標）７２６を使用している。図３に示すように、本体部４は、複数のボタン４１と、収納部５に接続される接続部４２と、を有していて、身体を通す下穴４ａ、腕を通す２つの横穴４ｂ、及び首を通す上穴４ｃが形成されている。本体部４は、略Ｔ字形状をなしており下穴４ａと横穴４ｂとの間は閉塞されているが、略Ｕ字状をなしたポンチョ形状であってもよい。
【００２４】
ボタン４１は前側に一列に配置されていて、ボタン４１を外して本体部４を開くことで身体に羽織ることができる。ボタン４１を留めた状態で、下穴４ａから身体を通し、各横穴４ｂから両腕を出し、上穴４ｃから首を出すように着てもよい。
【００２５】
収納部５は本体部４を折り畳んだ状態で収納可能な袋形状をなし、開閉部５１と、固定部材５２と、を備えている。収納部５には、開口部５ａが形成されていて、開閉部５１は本体部４を収納した状態で開口部５ａを開閉可能なチャックである。なお、開閉部５１は、チャックに限らず、開口部５ａを開閉可能であればボタン、マジックテープ（登録商標）、磁石であってもよい。開口部５ａは、本体部４の接続部４２との接続部分に形成されていて、接続部４２は開口部５ａ近傍の内側に縫製されている。
【００２６】
収納部５は、図１に示すように雨具１が自転車２のサドル３に装着されるときは防水性サドルカバーとしての機能を有し、図３（ａ）に示すように収納部５から本体部４を取り出して雨具１を着るときは雨除けのフードとしての機能を有している。収納部５は、本実施の形態では防水透湿撥水素材であるプリンテック・ワン（耐水圧８０００ｍｍレベル、透湿度８０００／ｍ／２４ｈレベル）を使用している。収納部５の内側であって、図１における上側には、クッション性を有する図示せぬ薄手の弾性シートが縫製されている。弾性シートは、サドル３の座面３１上に載置されるため、図１に示すように、雨具１がサドル３に装着されたときに使用者が座面３１に着座した際の座り心地が向上する。
【００２７】
図２に示すように、固定部材５２は収納部５の下部に挿通されている紐であって、両端が外部に露出している。雨具１をサドル３に装着するときは、図１に示すように、固定部材５２の両端を引っ張ることにより収納部５の下部を収縮させ、固定部材５２の一端と他端とを結ぶことにより収納部５をサドル３に固定する。雨具１をサドル３から外すときは、固定部材５２の結び目をほどき、固定部材５２を緩めることで収納部５の下部が開放され、雨具１が収納部５から離脱する。雨具１を羽織るときは、収納部５を頭に被って固定部材５２の両端を引っ張り、一端と他端とを結ぶことで収納部５が頭に対して固定される。収納部５を頭から外すときは、固定部材５２の結び目をほどき、固定部材５２を緩めることでフードを外す。
【００２８】
次に、本体部４を収納部５に収納する方法について、図３を参照して説明する。図３（ａ）は、収納部５から本体部４を取り出した状態である。図３（ｂ）に示すように、一方の横穴４ｂが形成されている部分をボタン４１側に向かって折り曲げるとともに、他方の横穴４ｂが形成されている部分もボタン４１側に向かって折り曲げ、本体部４の幅を開口部５ａの幅と略同一とする。図３（ｃ）に示すように、下穴４ａが形成されている部分を収納部５側に向かって複数回折り曲げ、本体部４を略正方形とする。図３（ｄ）に示すように、本体部４を折り畳んだ状態のまま開口部５ａを介して収納部５の内部に収納する。このとき、図示せぬ弾性シートと本体部４とが重なるように収納部５内部に収納される。開閉部５１で開口部５ａを閉じることで本体部４が収納部５から落下することを防止する。
【００２９】
使用者が雨具１をサドル３に装着する際は、本体部４を収納部５内部に収納し開口部５ａを開閉部５１で閉じた状態で収納部５をサドル３に被せる。図１に示すように、固定部材５２を引っ張り、その両端を結ぶことで雨具１をサドル３に固定する。使用者が３に着座するときは、サドル３と使用者との間に収納部５と、図示せぬ弾性シートと、本体部４と、が介在している。
【００３０】
雨が降ってきたときは、使用者はサドル３から雨具１を取り外し、開閉部５１を開いて本体部４を取り出し、ボタン４１を開けて各横穴４ｂに両腕を通す。ボタン４１を閉じ、収納部５をフードとして被り、固定部材５２を引っ張って収納部５を頭に固定することにより雨具１を着る。
【００３１】
このような構成によると、自転車２のサドル３に雨具１が着脱可能に設けられているため、急な降雨や災害などの際にはサドル３に装着された雨具１を取り外し、収納部５から本体部４を取り出して本体部４を着衣し収納部５を頭に被ることで、雨を凌ぐとともに防寒具となり得る。また、雨具１はサドル３に装着されているため、雨具１が自転車走行時に邪魔にならない位置で、常に雨具１を持ち運ぶことができる。さらに、収納部５は着衣時にはフードとして機能しサドル３装着時にはサドルカバーとして機能するため、１つの収納部５で２つの機能を果たしている。これにより、新たな部材を設けることなく雨具１をサドル３に装着することができるため、部品点数を削減するとともに製造コストを抑制することができる。また、本体部４は開口部５ａから収納部５に収納可能であるため、雨具１を嵩張らずにコンパクトにすることができる。さらに、収納部５はサドルカバーとしての機能を有しているため、降雨時にサドル３が濡れることを防止することができる。また、開口部５ａを開閉可能な開閉部５１を備えているため、開閉部５１で開口部５ａを閉じることで自転車走行時に誤って収納部５から本体部４が飛び出すことがない。さらに、雨具１は収納部５に設けられた固定部材５２によってサドル３に固定されているため、自転車走行時に雨具１が動くことが無く快適に自転車を運転することができる。
【００３２】
このような構成によると、本体部４はサドル３の座面３１に配置されているため、使用者がサドル３に着座した際に本体部４がクッションとなりサドル３の座り心地を向上させることができる。
【００３３】
このような構成によると、固定部材５２が使用者の雨具１の着衣時にフードを頭に保持するため、１つの固定部材５２で２つの機能を果たしている。これにより、新たな部材を設けることなく雨具１をサドル３に固定することができるとともに収納部５を頭に固定することができるため、部品点数を削減するとともに製造コストを抑制することができる。
【００３４】
次に、本発明の第２の実施の形態について、図４及び図５に基づいて説明する。第１の実施の形態と同一の構成については、同一の符号を付し説明を省略する。
【００３５】
雨具１０１は、サドルカバー１０２と、収納部１０３と、レインコート１０４と、から構成される。第１の実施の形態では雨具が収納部を一体的に備えていたが、第２の実施の形態では、サドルカバー１０２と、収納部１０３と、レインコート１０４と、が別体となっている。サドルカバー１０２は、防水性を有するカバーであってサドル３を覆う形状をなし、下部に収縮部１２１が設けられている。収縮部１２１は、伸縮性を有するゴムを図示せぬ開口周囲に周回させ、開口周囲を収縮させることにより構成される。収縮部１２１を開いてサドル３にサドルカバー１０２を被せることにより、収縮部１２１が収縮しサドルカバー１０２がサドル３に固定される。
【００３６】
図５に示すように、収納部１０３は、拭取部１３１と、保持部１３２と、を有している。保持部１３２は拭取部１３１の反対側（下面）に配置され、保持面１３３と、バンド１３４と、ポケット１３５と、から構成されている。拭取部１３１は、収納部１０３の上面に設けられていて、吸水性を有する素材であるパイル地、タオル地、又はコットン地から構成される。保持面１３３は、収納部１０３の下面であって、バンド１３４及びポケット１３５の内側の面である。
【００３７】
バンド１３４は伸縮性を有しており、収納部１０３の下面の前部に設けられていて、両端部が保持面１３３に縫製されている。ポケット１３５は、収納部１０３の下面後部に設けられていて、周囲が保持面１３３に縫製されている。ポケット１３５は後方に向かって左右方向に広がっていて、挿入口１０３ａが形成されている。
【００３８】
収納部１０３は、レインコート１０４の前部をバンド１３４で挟むとともに、レインコート１０４の後部を挿入口１０３ａからポケット１３５に挿入することにより、レインコート１０４を保持する。
【００３９】
雨具１０１を自転車２のサドル３に装着した状態では、レインコート１０４が収納部１０３に保持されサドル３の座面３１に載置され、その上からサドルカバー１０２で覆われている。拭取部１３１はパイル地、タオル地、又はコットン地であるため、サドル３の座り心地を向上させることができる。
【００４０】
雨が降ってきたときは、サドルカバー１０２を取り外し、収納部１０３からレインコート１０４を取り外し、レインコート１０４を着用する。また、収納部１０３の拭取部１３１で周囲の雨露を拭き取ることができる。
【００４１】
このような構成によると、自転車２のサドル３にレインコート１０４が着脱可能に設けられているため、急な降雨や災害などの際にはサドル３に装着されたサドルカバー１０２を取り外し、収納部１０３からレインコート１０４を取り出して着衣することで、雨を凌ぐとともに防寒具となり得る。また、雨具１０１はサドルに装着されているため、雨具１０１が自転車走行時に邪魔にならない位置で、常に雨具１０１を持ち運ぶことができる。さらに、雨具１０１はサドルカバー１０２を備えているため、降雨時にサドル３が濡れることを防止することができる。また、収納部１０３は吸水性を有する拭取部１３１を備えているため、降雨時に自転車２のハンドル等の雨露を拭取ることができる。さらに、レインコート１０４及び収納部１０３はサドルカバー１０２とサドル３との間に配置されているため、使用者がサドル３に着座した際にレインコート１０４及び収納部１０３がクッションとなりサドル３の座り心地を向上させることができる。
【００４２】
本発明による雨具及び雨具収納具は、上述した実施の形態に限定されず、特許請求の範囲に記載された発明の要旨の範囲内で種々の変更が可能である。
【００４３】
上述の実施の形態では、本体部４は身体に羽織ることで上半身及び下半身の一部を覆うような形状をしていたが、これに限定されない。例えば、本体部とは別体でズホンを収納部に収納してもよい。これにより、身体を完全に覆うことができるため雨濡れをより防ぐことができる。
【００４４】
上述の実施の形態では、固定部材５２は紐材であったが、これに限定されない。例えば、伸縮性を有するゴムであってもよく、長さを調節可能な樹脂製のバックルであってもよい。
【００４５】
上述の実施の形態では、本体部４にボタン４１が設けられていたが、これに限定されない。例えば、ボタンが１つ、又はボタンが設けられておらず、ポンチョのように被る形状であってもよい。
【符号の説明】
【００４６】
１，１０１      雨具
２      自転車
３      サドル
４      本体部
５      収納部
５ａ    開口部
３１    座面
４１    ボタン
５１    開閉部
５２    固定部材
１０２  サドルカバー
１０３  収納部
１０４  レインコート
１３１  拭取部
１３２  保持部
１３４  バンド
１３５  ポケット
【図１】
2019167022.tif 000003
【図２】
2019167022.tif 000004
【図３】
2019167022.tif 000005
【図４】
2019167022.tif 000006
【図５】
2019167022.tif 000007